(57)【特許請求の範囲】
【請求項１】
血流の変動を検出する血流検出部と、
前記血流検出部を体表面に密接させるべく該体表面のまわりに巻き付けられるように構成されたバンドと、
前記血流検出部と前記バンドとの間に配置され、外表面の一の部位で前記血流検出部に固定されると共に外表面のうち前記一の部位とは反対側の部位で前記バンドに固定された可撓性のズレ吸収手段であって、前記血流検出部に対する前記バンドの位置ズレを許容するものとを有し、
前記可撓性のズレ吸収手段が可撓性膜からなる袋状体である血流計。
【請求項２】
血流の変動を検出する血流検出部と、
前記血流検出部を体表面に密接させるべく該体表面のまわりに巻き付けられるように構成されたバンドと、
前記血流検出部と前記バンドとの間に配置され、外表面の一の部位で前記血流検出部に固定されると共に外表面のうち前記一の部位とは反対側の部位で前記バンドに固定された可撓性のズレ吸収手段であって、前記血流検出部に対する前記バンドの位置ズレを許容するものとを有し、
前記ズレ吸収手段が前記バンドの留合せ部の裏側において前記バンドに固定されている血流計。
【請求項３】
前記袋状体の内部に、流体が封入されている請求項１に記載の血流計。
【請求項４】
前記袋状体は、その内表面が低摩擦状態になるように構成されている請求項1又は３に記載の血流計。
【請求項５】
前記ズレ吸収手段は、変形された際元の形状に復元するような弾力性を有する材料の可撓性構造体からなる請求項１、３、４のいずれかに記載の血流計。
【請求項６】
前記ズレ吸収手段が前記バンドの留合せ部の裏側において前記バンドに固定されている請求項１及び３から５までのいずれか一つの項に記載の血流計。
【請求項７】
前記バンドのうち前記ズレ吸収手段が固定された部位から離れたところに、表示部が取付けられている請求項１から６までのいずれか一つの項に記載の血流計。
【発明の詳細な説明】
【０００１】
【発明の属する技術分野】
本発明は、血流の変動を検出する血流計に関し、より詳しくは、バンドで手首等に取付けられて、心臓の搏動に伴う血流の脈動を検出する血流計に関する。
【０００２】
【従来の技術】
脈圧検出部を制御部及び表示部の裏側に実際上一体的に備えバンドで手首に取付けられるようにして血流の脈動を圧力変動として検出する脈搏計は、実開平５-２８３０９号公報（実願平３-７８５２３号）に開示されている。
【０００３】
【発明が解決しようとする課題】
しかしながら、この脈搏計では、脈圧検出部が制御部や表示部と実際上一体に形成されていてその質量が比較的大きいので、腕を振ったりした場合、脈圧検出部がその慣性により脈圧を感じる手首の部分（例えば橈骨動脈の上の部分）からズレ易い。従って、この脈搏計では、動脈部のところの皮膚の表面から検出部がずれて脈搏を検出できなくなる虞があるだけでなく、ズレが生じる際ノイズが発生して脈搏を正確に検出できない虞もある。
【０００４】
本発明は、前記した点に鑑みなされたものであり、その目的とするところは、血流検出部が被検出部位ないし被検出位置からずれる虞の少ない血流計を提供することにある。
【０００５】
【課題を解決するための手段】
本発明の血流計は、前記目的を達成すべく、血流の変動を検出する血流検出部と、血流検出部を体表面に密接させるべく該体表面のまわりに巻き付けられるように構成されたバンドと、血流検出部とバンドとの間に配置され、外表面の一の部位で血流検出部に固定されると共に外表面のうち前記一の部位とは反対側の部位でバンドに固定された可撓性のズレ吸収手段であって、血流検出部に対するバンドの位置ズレを許容するものとを有する。
【０００６】
本発明の血流計では、可撓性のズレ吸収手段が、血流検出部とバンドとの間に配置され、外表面のうち一の部位で血流検出部に、該一の部位とは反対の部位でバンドに固定されているから、何らかの原因で血流計の血流検出部に対してバンドが動いても、該バンドの動きが可撓性のズレ吸収手段の撓み変形によって実際上吸収され得るので、バンドの動きないし位置ズレによって血流検出部に不測の位置ズレが生じる虞が少ない。また、血流検出部を体表面に密接させるべくバンドが体の一部（例えば、手首）に巻付けられるように構成されているから、可撓性のズレ吸収手段が体表面から離れる方向の動きが規制されるので、ズレ吸収手段が該方向に自由に変形してしまって血流検出部が体表面から離れたりずれたりする虞も少ない。
【０００７】
ズレ吸収手段は、該手段の外表面の一の部位に対する反対の部位の位置ズレないし動きを許容し得るように、可撓性であればよい。なお、所望ならば、変形された際元の形状に復元しようとするような弾力性を有していてもよい。但し、この弾力性は、前記一の部位に対する前記反対の部位の位置ズレを過度に禁止ないし規制するような大きいものではなく、該位置ズレを実際上自由に許容するけれども、一旦ずれた後バンドを元の位置に戻すように作用する程度のものである。
【０００８】
可撓性のズレ吸収手段は、上述のような位置ズレを許容し得るように可撓性である限りどのようなものでもよく、典型的には、可撓性膜からなる袋状体（以下では、「可撓性袋状体」ともいう）や、変形された際元の形状に復元するような弾力性を有する材料の可撓性構造体からなる。
可撓性袋状体からなる場合、該袋状体は、例えば、偏平な円形の座布団状ないし円盤状の形状を有する。但し、血流検出部に対して、バンドが実際上任意の方向に動き得る限り、例えば、球に近い形状でも、平面形状が楕円形で偏平な座布団状など他の形状でもよい。また、バンドの延在方向に対して斜め方向など慣性力の影響による位置ズレが比較的生じ難い方向に対しては位置ズレ吸収能が小さいように即ち位置ズレを規制するように、平面形状がほぼ矩形で偏平な座布団状など異方性の高い形状でもよい。
【０００９】
なお、袋状体は、典型的には、内部空間が密閉された袋からなる。但し、場合によっては、内部空間が密閉されている代わりに、メッシュ状（構造的に可撓性）のものでもよい。
袋状体が、密閉された内部空間を有する流密な袋からなる場合、該袋状体の変形が容易なように、袋状体の内部には、気体や液体のような流動体が封入される。流動体は、ゾル状物でもゼリー状など軟らかいゲル状物などの半固形物でもよい。また、気体と液体とはいずれか一方だけが封入されても両方が一緒に封入されてもよい。気体としては、例えば、空気のような袋に対して不活性な気体が好ましい。液体としては、例えば、油性液体のようなそれ自体潤滑性の液体が好ましい。封入物に空気などの気体が含まれる場合、該気体の被圧縮性を利用して加圧状態にし血流検出部を体表面に押し付けてもよい。
【００１０】
袋状体のうち血流検出部に固定された前記一の部位のまわりの膜部分の内面とバンドに固定された前記反対側の部位のまわりの膜部分の内面との間における摩擦抵抗を最低限に抑えて対向する膜部分のズレ変形を容易にすべく、袋状体の内表面が低摩擦状態に形成されていてもよい。その場合、袋状体の内表面にポリテトラフルオロエチレンの如きフッ素樹脂のような低摩擦材料のコーティングないしライニングが施されていても、他の手段で内表面に低摩擦化の加工が施されていてもよい。これらの場合、袋状体は、内部空間を封止する袋状であっても、内部空間を封止しないメッシュ状や多孔性の袋状であってもよい。
【００１１】
可撓性のズレ吸収手段が弾力性を有する材料の可撓性構造体からなる場合、可撓性構造体は、例えば、血流検出部に固定される板状の被固定部及びバンドに固定される板状の被固定部の間を繋ぐ可撓性の柱状部を複数又は多数本備える。なお、一方向にのみ可撓性にする場合には、例えば該一の方向に直交する方向の両端が開口した筒状でもよい。弾力性を有する材料としては、例えば、ゴム性の材料やウレタンなどが用いられる。
【００１２】
可撓性のズレ吸収手段の外表面のうち一の部位と反対の部位とは、バンド及び血流検出部の間の所望の方向への位置ズレを最大限許容し得るように、正反対の部位ないし対向する部位であることが好ましい。例えば、ズレ吸収手段が偏平な円盤状袋状体からなる場合、血流検出部に固定される一の部位は、袋状体の一方の偏平な円形外表面の中心を含む領域又はその近傍であり、バンドに固定される袋状体の反対の部位は、偏平な円盤状袋状体の反対側の偏平な円形外表面の中心を含む領域又はその近傍であることが好ましい。但し、袋状体が比較的大きい場合には、一の部位及び反対の部位が夫々の偏平な外表面の中心又はその近傍からずれていてもよい。
【００１３】
ズレ吸収手段の血流検出部やバンドへの固定は、典型的には、接着剤による接着で行なわれる。その場合には、血流検出部やバンドのうちズレ吸収手段の外表面に接する領域が固定に用いられる。但し、ズレ吸収手段の前記一の部位や反対側の部位が、夫々、血流検出部やバンドの対面部位に対して実際上不動に保たれ得る限り、実際の固定は、血流検出部やバンドの側面や反対側の面に対して行なわれてもよい。また、固定は、接着の代わりに所望の留め具などを介して行なわれていてもよい。
【００１４】
ズレ吸収手段は、好ましくは、バンドの留合せ部の裏側に固定されている。これにより、血流検出部を手首の橈骨動脈や尺骨動脈の上に位置する皮膚表面部などの所定部位に押付けた状態でバンドをとめることが容易になり、血流検出部の位置合せを容易に行ない得る。バンドの留め部ないし止め部は、典型的には、マジックテープ（登録商標）のような面ファスナーを有する。但し、所望ならば、バンドの孔とピン状部との組合せなどバンドを留めるための他の手段を用いてもよい。また、場合によっては、バンド自体が弾力的に伸縮可能な材料又は構造体からなるリング状物であってもよい。
【００１５】
血流検出部により検出される血流の変動は、典型的には、心臓の搏動に伴う血流の脈動的な血流の変動で、該脈動は一方では血流の流速のパルス状変動として、他方では血流の圧力のパルス状変動（いわゆる「脈搏」）として捉えられる。従って、血流検出部は、血流の圧力変動を検出するものでも、流速変動を検出するものでも、脈動的な血流の変動に随伴する他の特性の変動を検出するものでもよい。本発明の血流計は、例えば、血流の流速を実際上連続的に（例えば所定の短いサンプリング時間間隔毎に）検出ないし監視することにより該血流の流速の脈動的な変動を検出して、脈動の時間間隔や単位時間当たりの脈動の回数を求めることを可能にする。ここで、流速の脈動の単位時間当りの回数は、圧力の脈動の単位時間当りの回数（単位時間当り脈搏数）と一致しているから、例えば血流の流速変動を検出することにより、単位時間当りの脈搏数を検出し得る。
【００１６】
典型的には、バンドには、更に、表示部が設けられる。この表示部は、可撓性袋状体が取付けられているバンド部分の表面側の領域でもよいけれども、典型的には、血流検出部が取付けられたバンド部分から離れたところに設けられる。これによって、表示部の質量による慣性で表示部が動く際その動きが直ちに袋状体に伝わる虞が低くなり、血流検出部が動く虞が最低限に抑えられ得る。また、血流検出部で橈骨動脈や尺骨動脈の血流の変動を検出する場合に、血流検出部が手首の内側（手のひらの側）に位置していても、表示部が手首の外側（手の甲の側）に配置され得る。なお、典型的には、表示部には、血流検出部からの検出信号に基づいて単位時間当りの脈搏数等を求めるための制御部ないし演算制御部が一体に設けられる。
【００１７】
【発明の実施の形態】
次に本発明による好ましい一実施の形態の血流計を、添付図面に示した好ましい一実施例に基づいて説明する。
【００１８】
【実施例】
図１及び２に示した本発明による好ましい一実施例の血流計としての脈搏計１は、図２の（ａ）からわかるように、血流検出部１０、演算制御・表示部２０、及びバンド３０に加えて、位置ズレ吸収手段としての緩衝用袋構造体４０を有する。ここで、脈搏計とは、単位時間、典型的には１分、当りの脈搏数を検出・表示するような装置をいう。
【００１９】
血流検出部１０は、例えば想像線で示した手首２の橈骨動脈３を流れる血液の流速Ｖ（ｔ）を継続的に検出すべく手首２の皮膚の表面４のうち橈骨動脈３の近傍の部分に密接せしめられる。血流検出部１０は、例えば、図１の（ｃ）に示したようなドプラー式流速計の形態で、所定振動数Ｆ１の超音波Ｓ１をＡ方向に発する圧電素子などを含む超音波発信器１１と、橈骨動脈３中を速度ＶでＢ方向に流れる血流中でＣ方向に反射ないし散乱された反射波を受信・検出して電気信号に変換する圧電素子などからなる超音波受信器１２とを検出器本体１３内に有する。心臓の搏動に伴う血流の速度Ｖ（ｔ）の時間的な変動は、受信超音波信号Ｓ２の振動数Ｆ２、発信超音波信号Ｓ１の振動数Ｆ１、振動数Ｆ２，Ｆ１間のズレΔＦ、及び方向Ａ，Ｂ間の角度θに基づいて、Ｖ（Ｆ１，Ｆ２（ｔ），θ）の形で算出される。従って、心臓の搏動に伴う血流速度Ｖ（ｔ）の時間ｔに依存する周期的変化ないし増減を検出することにより、圧力脈動の生起及びその生起回数が検出され、単位時間当りの脈搏数が検出される。
【００２０】
血流検出部１０の検出器本体１３の手首に接する側には、凹部１４が形成されており、該凹部１４には密接補助層１５が形成されている。この補助層１５は、超音波信号が検出器本体１３の表面や皮膚の表面４で反射されたり、伝播中に減衰されるのを最小限に抑えると共に、血流検出部１０が皮膚の表面４に密接するのを助ける。この密接補助層１５は、例えば、ゲル状物に液体を含浸させてなり、上述のような役割を果たし得る限りどのような材料でもよい。
【００２１】
なお、血流検出部１０は、ドプラー式流速計ないし流量計の送信器１１及び受信器１２の配置等が図示とは異なるものでも、ドプラー式流量計の代わりに他の流速検出手段を用いたものでも、また、流速変動の代わりに搏動に伴う圧力の変動を検出するように構成されたものでも、搏動に伴う他の変化を検出するものでもよい。
【００２２】
血流検出部１０は、位置ズレ吸収手段としての緩衝用袋構造体４０を介して、バンド３０に固定されている。なお、バンド３０は、図２の（ａ）に示したように、夫々の基端３１ａ，３２ａでピン（図示せず）を介して演算制御・表示部２０にＵ，Ｖ方向に回動可能に取付けられた二つのバンド部３１，３２からなり、外側バンド部３１の先端部３３の内表面及び内側バンド部３２の先端部３４の外表面には、マジックテープ（登録商標）のような一組の面ファスナ素体３５，３６が取付けられていて、相互に押付けられて係合・固定される。
【００２３】
緩衝用袋構造体４０は、図１の（ａ）及び（ｂ）に示したように、偏平な円盤状の可撓性の袋本体４１を有し、袋本体４１の壁ないし膜４２の内表面には、フッ素樹脂のような低摩擦材料のコーティング層４３が形成されている。低摩擦層４３はなくてもよい。袋本体４１の膜ないし壁４２は、該膜４２の内部にほとんど応力が残ることなく袋本体４１の形状が外力により自由に変わり得るように、可撓性ないし柔軟である。袋本体４１の膜４２は、比較的延び難いプラスチックフィルム又はその積層体でも、繊維で強化されたプラスチックフィルム等のように膜自体が延び難いものでも、ある程度の伸縮が可能なゴム性の材料でできていてもよい。
【００２４】
袋本体４１の室４４内には空気４５が封入されている。封入されている空気４５の量は、図２の（ａ）に示したように血流計１を所定の状態に装着した場合に緩衝用袋構造体４０の袋本体４１が偏平化されると、若干加圧される程度であり、例えば、図１の（ａ）や（ｂ）に示すような自由な状態では、袋本体４１の円盤状体の厚みが少し大きくなって室４４の容積が大きくなり加圧状態が解除される。
【００２５】
緩衝用袋構造体４０は、図１の（ａ）において、ほぼ平らな円形の上表面４６の中央領域４７で血流検出部１０の本体１３の裏面１６に接着剤などで固定され、ほぼ平らな円形の下表面４８の中央領域４９でバンド３０の内側バンド部３２の先端３４の内表面３７に接着剤などで固定されている。バンド部３２の先端部３４に対する接着領域の外縁は、例えば、図１の（ａ）において、符号４９ａで示した部位により規定される円形である。血流検出器１０は、検出器本体１３を傾けるような力が働くのを避けるべく、例えば裏面１６の全域で、緩衝用袋構造体４０の中央領域４７に接着されている。但し、これらの接着領域は、例えば、図示のものより小さくても、円形でなくてもよい。
【００２６】
血流検出器１０と内側バンド部３２とが緩衝用袋構造体４０を介して上述のようにつながっているから、緩衝用袋構造体４０では、緩衝用袋構造体４０の膜４２の実質的な伸びがなくても該膜４２の内部にほとんど応力が残らないような膜４２の撓み状態の変動だけで、図１の（ａ）において左側に位置する側壁部分５０が想像線５０ａで示すように内側バンド部３２に対してＤ１方向にずれた位置を採ると共に、右側に位置する側壁部５１が想像線５１ａで示すように内側バンド部３２に対してＤ１方向にずれた相対位置を採るような変形が、可能である。但し、このズレの際、袋構造体４０の袋本体４１の下表面４８の中央領域４９と内側バンド部３２の内表面３７との間は固定状態に保たれ、且つ袋本体４１の上表面４６の中央領域４７と血流検出部１０の裏面１６との間も固定状態に保たれる。従って、図１の（ａ）及び（ｂ）からわかるように、血流検出部１０は、バンド部３２に対して、想像線１０ａで示すような相対位置にＤ１方向に移動する。同様に、袋本体４１の上下の中央領域４７，４９が血流検出部１０及び内側バンド部３２の先端部３４に固定されたままで、図１の（ｂ）に示したように、同図において右側に位置する側壁部５１が想像線５１ｂで示すようにＤ２方向にずれ同図において左側に位置する側壁部５０が想像線５０ｂで示すようにＤ２方向にずれた位置を採るような変形や、同図において上側に位置する側壁部５２が想像線５２ａで示すようにＤ３方向にずれ同図において下側に位置する側壁部５３が想像線５３ａで示すようにＤ３方向にずれた位置を採るような変形や、同図において下側に位置する側壁部５３が想像線５３ｂで示すようにＤ４方向にずれ同図において上側に位置する側壁部５２が想像線５２ｂで示すようにＤ４方向にずれた位置を採るような変形も可能である。その結果、血流検出部１０は、内側バンド部３２の先端部３４に対して、Ｄ２，Ｄ３，Ｄ４方向に相対移動可能である。以上において、Ｄ１＝−Ｄ２，Ｄ２＝−Ｄ１，Ｄ３＝−Ｄ４，Ｄ４＝−Ｄ３である。勿論、上記方向Ｄ１〜Ｄ４のうちの二方向の相対移動が任意の割合で重なるような袋本体４１の変形及びこれに伴う血流検出部１０の内側バンド部３２に対する相対移動も可能である。
【００２７】
血流検出部１０には、超音波発信器１１への入力信号や受信器１２での受信信号を演算制御・表示部３０との間で送受信する信号線等が収容されたケーブル１７が接続されている。このケーブル１７は、図１の（ａ）に示したように、血流検出部１０から少し離れたところ１８で内側バンド部３２に固定されると共に該バンド部３２内に入り、該バンド部３２の内部を通って演算制御・表示部３０につながっている。なお、所望ならば、ケーブル１７を、内側バンド部３２内に通す代わりに、内側バンド部３２の内表面３７に沿って延在させてもよく、その場合、内表面３７に溝を形成しておいて該溝にケーブル１７をはわせてもよい。ケーブル１７のうち血流検出部１０と固定部１８との間の部分１９は、図１の（ｂ）に示したように湾曲して弛んでいる。この弛緩部１９は、血流検出部１０が内側バンド部３２に対してＤ１方向等に相対移動する際、延びることになる。従って、弛緩部１９の余剰長さは、Ｄ１方向の最大相対変位量に応じて決めておけばよい。
【００２８】
演算制御・表示部２０は、電源２１と、超音波発信器１１の駆動信号発生部２２と、圧電体等を含む超音波受信器１２で受信された受信信号に基づいて、前述の速度変動Ｖ（ｔ）及び該速度変動から所定時間（例えば１０秒程度）内の脈搏数を求めると共に単位時間当り（例えば１分当り）の脈搏数に換算する演算制御部２３と、演算制御部２３での求められた単位時間当たり脈搏数を表示する表示部２４とを有する。演算制御部２３は、クロック信号発生部を含み、表示部２４のボタン２５を押すことにより、表示部２４は、時計としての時刻表示をも行ない得る。
【００２９】
以上の如く構成された脈搏計１は、例えば、内側バンド部３２の先端部３４の内側に位置する血流検出部１０を、密接補助層１５の表面１５ａが手首２の橈骨動脈３近傍の皮膚表面４に密接するように血流検出部１０を所定位置に配置して該検出部１０を手首２の皮膚の表面４に押付けた状態で、外側バンド部３１を手首に巻付け、外側バンド部分３１を長手方向に沿って周方向に引張ってバンド部３１，３２間に所望の張力をかけた状態で、内側バンド部３２の先端部３４の外表面の先端縁３４ａの近傍まで拡がった面ファスナ素体３６に外側バンド部分３１の先端部３３の内表面に細長く延びた面ファスナ素体３５の基部側部分を押付けて、ファスナ素体３５，３６を固定し、更に、面ファスナ素体３５，３６の対面領域の全体を押付ける。その結果、脈搏計が図２の（ａ）に示したような状態で手首２に装着される。
【００３０】
これによって、血流検出部１０が橈骨動脈３に向合う所定位置に配置されると共に、手首２の表面から離れる方向への移動がバンド部３１，３２によって禁止された緩衝用袋構造体４０がバンド部３１，３２による張力の下で偏平化状態に保たれて所望レベルの加圧状態になり、血流検出部１０を所望のレベルの適度に小さい力で手首２の表面に押付け得る。一方、手首２への脈搏計１のこのような装着状態において、演算制御・表示部２０は男性用の腕時計の時刻表示部と同様に手首２の外側すなわち手の甲の側に配置される。
【００３１】
通常は、押しボタンスイッチ２５によって、表示部２４は時計表示状態に設定される。脈搏数を図ろうとする場合、押しボタンスイッチ２５を押すことにより、表示部２４を脈搏数表示モードに設定する。
血流計としての脈搏計１では、血流検出部１０で検出した反射超音波信号Ｓ２における振動数Ｆ２の変化ΔＦに基づいて、制御部２３で求められた脈搏数が表示部２４で表示される。この検出ないし測定の際、バンド部３１，３２に支持された加圧状態の緩衝用袋構造体４０によって、血流検出部１０の密着補助層１５の表面１５ａが手首２の所定に位置に押圧・密接せしめられるから、血流検出部１０による流速Ｖの変動の検出及びこれに伴う脈搏数の測定が正確に行なわれ得る。
【００３２】
一方、急に手を振ったり手の振りを止めたりするような手首２の動きは、比較的大きな加速度を伴い、質量の比較的大きい演算制御・表示部２０に手首２の動きに伴う比較的大きい慣性力が働く。その結果、演算制御・表示部２０及びこれにつながったバンド３０すなわちバンド部３１，３２が手首２に対して動いてしまうことがある。この動きの方向は、図１の（ｂ）のＤ１，Ｄ２，Ｄ３，Ｄ４のいずれかまたは二つを組合わせた方向になる。この動きに伴って、可撓性の緩衝用袋構造体４０のうちバンド部３２に固定された中央領域４９が、手首２に対して同様に動く。従って、緩衝用袋構造体４０のうち該領域４９のまわりの部分も同様に動く。一方、血流検出部１０は密着補助層１５の表面１５ａで手首２の表面に密接され且つ緩衝用袋構造体４０の室４４の空気４５の圧力で該手首２の表面４に押付けられているから、血流検出部１０は手首２に対して動きにくい。従って、バンド３０の手首２ないし手首表面４に対するＤ１，Ｄ２，Ｄ３又はＤ４方向の移動に伴い、緩衝用袋状体４０は、図１の（ｂ）において矢印Ｄ２（＝−Ｄ１），Ｄ１（＝−Ｄ２），Ｄ４（＝−Ｄ３）又はＤ３（＝−Ｄ４）で示したような変形状態を採り、バンド３０の位置ズレは、例えば、図２の（ｂ）に示したように緩衝用袋構造体４０の固定領域４７，４９の間の位置ズレＤとして吸収され血流検出部１０には実際上影響を及ぼさない。また、緩衝用袋構造体４０の内面には低摩擦性コーティング層４３が形成されているから、位置ズレの際、緩衝用袋構造体４０の内面の一部が擦れ合っても該擦れにより相手側の内面にズレ方向の大きな力を及ぼす虞が少ない。更に、膜４２が可撓性であるから、このような変形に際して緩衝用袋状体４０の膜４２部分には実際上ほとんど応力が残らない。従って、血流検出部１０を手首２の橈骨動脈３に対面する所定部分から動かすような力は緩衝用袋状体４０からは働かず、血流検出部１０が手首２の橈骨動脈３に対面する所定部分に密接状態に保持される。その結果、血流検出部１０による血流の変動検出は、バンド３０の動き乃至位置ズレにかかわらず確実に行なわれ、血流の変動検出信号にノイズが入る虞れも少ない。表示部２０やベルト３０の位置ズレは、該位置ズレに気づいたら、直しておけばよい。
【００３３】
なお、ズレ吸収手段としては、以上のような緩衝用袋構造体４０の代わりに、例えば、図１の（ｄ）に示したように、変形された際元の形状に復元するような弾力性を有する材料の可撓性構造体６０からなっていてもよい。以下において、上下左右は、図１の（ｄ）でみた場合の向きである。
この可撓性構造体６０はゴムのような弾力性のある材料を例えば一体成形してなり、血流検出器１０の裏面１６に接着剤などにより上面の中央領域６１が固定された上側の板状部６２と、内側バンド部３２の先端部３４の内面３７に接着剤などにより下面６３が固定された下側の板状部６４と、上下の板状部６２，６４を該板状部６２，６４の周縁部でつないでいる比較的太い多数の柱状部６５とを一体的に有する。
【００３４】
この可撓性構造体６０では、血流検出部１０に対する内側バンド部３２の位置ズレは、柱状部６５の撓みにより吸収される。例えば、内側バンド部３２が血流検出部１０に対してＤ１方向に変位されると、柱状部６５が図１の（ｄ）において想像線６５ａで示したように傾斜することによって、バンド部３２の位置ズレの影響が血流検出部１０に及ぶのを防いでいる。柱状部６５の撓み状態６５ａでは可撓性構造体６０内に応力が残り、柱状部は符号６５で示した元の状態戻ろうとする復元力を有するから、内側バンド部３２の急激な位置ズレを吸収すべく想像線のように変形した後、内側バンド部３２を徐々に元の状態に戻すべく働く。また、柱状部６５の圧縮変形に対する弾性や板状部６２，６４の曲げ変形に対する弾性は、血流検出器１０の表面１５ａを皮膚の表面に押付けて血流検出器１０を皮膚に密接させる働きをする。
【００３５】
なお、他の方向への位置ズレないし動きに関しても同様であることは明らかであろう。板状部６２，６４の形状や厚さ、及び柱状部６５の配置や数や太さや向きなどは、所望に応じて適宜選択すればよい。また、所望ならば、例えば、筒状にすることにより、一方向にのみ可撓性にしてもよい。
【図面の簡単な説明】
【図１】本発明による好ましい一実施例の血流計としての脈搏計のズレ吸収手段及び血流検出部の例を示したもので、（ａ）はズレ吸収手段としての緩衝用袋構造体を介してバンド部分に血流検出部を取付けた好ましい一例の断面説明図、（ｂ）は（ａ）の平面説明図、（ｃ）は（ａ）の血流検出部による血流の流速測定の模式的説明図、（ｄ）はズレ吸収手段の変形例に関する（ａ）と同様な向きでの正面説明図。
【図２】図１の（ａ）に示した緩衝用袋構造体を用いた血流計としての脈搏計の全体を示したもので、（ａ）は手首に装着した状態の側面断面説明図（但し、説明のために、血流計については、緩衝用袋構造体だけを断面で示してある）、（ｂ）は血流計に位置ズレが生じた状態を示した側面説明図（但し、説明のために、血流計については、緩衝用袋構造体だけを断面で示してある）。
【符号の説明】
１  血流計（脈搏計）
２  手首
３  橈骨動脈
４  皮膚の表面
１０  血流検出部（流速検出部）
１１  超音波発信器
１２  超音波受信器
１３  検出器本体
１５  密接補助層
１５ａ  表面
１９  弛緩部
２０  演算制御・表示部
２４  表示部
３０  バンド
３１  外側バンド部
３２  内側バンド部
３３，３４  先端部
３５，３６  面ファスナ素体
４０  緩衝用袋構造体
４１  袋本体
４２  膜（壁）
４３  低摩擦性コーティング層
４４  室
４５  空気
４７，４９  中央領域
４９ａ  固定領域の外縁
６０  可撓性構造体
６５  柱状部
Ｄ，Ｄ１，Ｄ２，Ｄ３，Ｄ４  相対的な位置ズレ方向
【図１】
0003693865.tif 000002
【図２】
0003693865.tif 000003